(57)【要約】【課題】半導体素子用基板において樹脂と金属との密着性を向上すると共に、反りを抑制すること。【解決手段】本半導体素子用基板は、一方の面、他方の面、及び側面を備えた端子部と、前記端子部の一方の面を露出し、側面を被覆する樹脂部と、を有し、前記樹脂部は、第１樹脂と第２樹脂を備えた多層構造であり、前記第１樹脂が、前記端子部の側面に接して設けられ、前記第１樹脂及び前記第２樹脂はフィラーを含有し、前記第１樹脂が含有するフィラーの量は、前記第２樹脂が含有するフィラーの量よりも少ない。【選択図】図２
2019057590.tif 000002
【特許請求の範囲】
【請求項１】
一方の面、他方の面、及び側面を備えた端子部と、
前記端子部の一方の面を露出し、側面を被覆する樹脂部と、を有し、
前記樹脂部は、第１樹脂と第２樹脂を備えた多層構造であり、
前記第１樹脂が、前記端子部の側面に接して設けられ、
前記第１樹脂及び前記第２樹脂はフィラーを含有し、
前記第１樹脂が含有するフィラーの量は、前記第２樹脂が含有するフィラーの量よりも少ない半導体素子用基板。
【請求項２】
半導体素子を搭載する一方の面及び前記一方の面の反対面である他方の面を備え、外周部の前記他方の面側に第１切り欠き部が設けられた半導体素子搭載部を有し、
前記端子部は、前記半導体素子搭載部と離間して配置され、前記半導体素子搭載部側の端部の前記他方の面側に第２切り欠き部が設けられ、
前記樹脂部は、前記半導体素子搭載部の一方の面及び前記端子部の一方の面を露出した状態で前記半導体素子搭載部及び前記端子部を保持し、前記第１切り欠き部及び前記第２切り欠き部を埋めており、
前記第１樹脂は、前記第１切り欠き部の内壁面及び前記第２切り欠き部の内壁面と接して配置されている請求項１に記載の半導体素子用基板。
【請求項３】
前記第１樹脂は、前記第１切り欠き部内から前記半導体素子搭載部の側面の一部に延伸して前記半導体素子搭載部の側面の一部を直接被覆すると共に、前記第２切り欠き部内から前記端子部の側面の一部に延伸して前記端子部の側面の一部を直接被覆し、
前記第２樹脂は、前記第１切り欠き部内から前記半導体素子搭載部の側面の一部を直接被覆する前記第１樹脂上に延伸すると共に、前記第２切り欠き部内から前記端子部の側面の一部を直接被覆する前記第１樹脂上に延伸する請求項２に記載の半導体素子用基板。
【請求項４】
前記半導体素子搭載部の一方の面側及び前記端子部の一方の面側は、前記樹脂部の一方の面から突起し、
前記半導体素子搭載部及び前記端子部が形成されていない領域を埋めるように前記樹脂部の一方の面に設けられた他の樹脂部を有し、
前記他の樹脂部は、第３樹脂と第４樹脂とを備えた多層構造であり、
前記第３樹脂は、前記樹脂部から露出する前記半導体素子搭載部の側面、前記樹脂部から露出する前記端子部の側面、前記樹脂部から露出する前記端子部の前記半導体素子搭載部と対向する端面、及び前記第１樹脂の一方の面と接して配置され、
前記第４樹脂は、前記樹脂部から露出する前記半導体素子搭載部の側面、前記樹脂部から露出する前記端子部の側面、前記樹脂部から露出する前記端子部の前記半導体素子搭載部と対向する端面、及び前記第１樹脂の一方の面との間に前記第３樹脂を挟んで配置され、
前記第３樹脂及び前記第４樹脂はフィラーを含有し、
前記第３樹脂が含有するフィラーの量は、前記第４樹脂が含有するフィラーの量よりも少ない請求項３に記載の半導体素子用基板。
【請求項５】
前記樹脂部は、前記半導体素子搭載部の他方の面及び前記端子部の他方の面を露出している請求項２乃至４の何れか一項に記載の半導体素子用基板。
【請求項６】
前記第２樹脂は金属箔又は支持フィルム上に形成され、前記第１樹脂は前記第２樹脂上に形成され、
前記第１樹脂は、前記第１切り欠き部内から前記半導体素子搭載部の他方の面に延伸して前記半導体素子搭載部の他方の面を直接被覆すると共に、前記第２切り欠き部内から前記端子部の他方の面に延伸して前記端子部の他方の面を直接被覆し、
前記第２樹脂は、前記第１切り欠き部内から前記半導体素子搭載部の他方の面を直接被覆する前記第１樹脂上に延伸すると共に、前記第２切り欠き部内から前記端子部の他方の面を直接被覆する前記第１樹脂上に延伸する請求項２乃至４の何れか一項に記載の半導体素子用基板。
【請求項７】
請求項１乃至６の何れか一項に記載に半導体素子用基板と、
前記半導体素子用基板の一方の面に搭載された半導体素子と、を有し、
前記半導体素子が前記端子部と電気的に接続された半導体装置。
【請求項８】
一方の面及び前記一方の面の反対面である他方の面を備えた金属板を準備し、前記金属板をハーフエッチングして前記他方の面から前記一方の面側に窪む凹部を形成する工程と、
半硬化状態の第２樹脂及び第１樹脂を備えた多層構造の樹脂部を準備し、前記樹脂部を前記第１樹脂が前記金属板の前記他方の面と対向するように配置し、前記樹脂部を前記金属板の前記他方の面に貼り付けると共に前記凹部を前記樹脂部で埋める工程と、
前記樹脂部を硬化させた後、前記金属板の前記凹部の底部をなす領域を部分的に除去し、一方の面、他方の面、及び側面を備えた端子部を形成する工程と、を有し、
前記端子部を形成する工程では、前記端子部の一方の面は前記樹脂部から露出し、前記端子部の側面は前記樹脂部に被覆され、前記第１樹脂が前記端子部の側面に接して設けられ、
前記第１樹脂及び前記第２樹脂はフィラーを含有し、前記第１樹脂が含有するフィラーの量は、前記第２樹脂が含有するフィラーの量よりも少ない半導体素子用基板の製造方法。
【請求項９】
前記樹脂部は、金属箔又は支持フィルム上に順次積層された半硬化状態の前記第２樹脂及び前記第１樹脂を備えている請求項８に記載の半導体素子用基板の製造方法。
【請求項１０】
前記端子部を形成する工程では、前記端子部と共に半導体素子搭載部が形成され、
前記半導体素子搭載部の外周部の前記他方の面側に前記凹部が分離された第１切り欠き部が設けられると共に、前記端子部の前記半導体素子搭載部の外周部側の端部の前記他方の面側に前記凹部が分離された第２切り欠き部が設けられる請求項８又は９に記載の半導体素子用基板の製造方法。
【請求項１１】
半硬化状態の第４樹脂及び第３樹脂を備えた多層構造の他の樹脂部を準備し、前記他の樹脂部を前記第３樹脂が前記半導体素子搭載部の一方の面及び前記端子部の一方の面と対向するように配置し、前記他の樹脂部を前記半導体素子搭載部の一方の面及び前記端子部の一方の面に貼り付けると共に前記他の樹脂部で前記樹脂部上の前記半導体素子搭載部及び前記端子部が形成されていない領域を埋める工程と、
前記半導体素子搭載部の一方の面及び前記端子部の一方の面よりも上側に形成された前記他の樹脂部を除去し、前記半導体素子搭載部の一方の面及び前記端子部の一方の面を露出する工程と、を有する請求項１０に記載の半導体素子用基板の製造方法。
【請求項１２】
前記半導体素子搭載部及び前記端子部を形成する工程の後に、前記半導体素子搭載部の他方の面及び前記端子部の他方の面よりも下側に形成された前記樹脂部を除去し、前記半導体素子搭載部の他方の面及び前記端子部の他方の面を露出する工程を有する請求項１０又は１１に記載の半導体素子用基板の製造方法。
【請求項１３】
請求項８乃至１２の何れか一項に記載の半導体素子用基板の製造方法により半導体素子用基板を作製する工程と、
前記半導体素子用基板の一方の面に半導体素子を搭載する工程と、
前記半導体素子用基板の一方の面に、前記半導体素子を封止する封止樹脂を形成する工程と、
前記端子部の他方の面よりも下側に形成された前記樹脂部を除去し、前記端子部の他方の面を露出する工程と、を有する半導体装置の製造方法。
【発明の詳細な説明】
【技術分野】
【０００１】
本発明は、半導体素子用基板及びその製造方法、半導体装置及びその製造方法に関する。
【背景技術】
【０００２】
半導体素子が搭載されて半導体装置の一部となる半導体素子用基板が知られている。半導体素子用基板は、例えば、金属板の一方の側に配線となる溝状の構造を形成し、溝状の構造に液状のプリモールド樹脂を埋め込んだ後、液状のプリモールド樹脂を加熱して硬化させる工程を経て作製される。
【先行技術文献】
【特許文献】
【０００３】
【特許文献１】特許第５５２６５７５号
【発明の概要】
【発明が解決しようとする課題】
【０００４】
しかしながら、上記の構造の半導体素子用基板では、プリモールド樹脂と金属板との密着性が悪く、かつ、プリモールド樹脂と金属板との熱膨張係数の違いにより半導体素子用基板に反りが発生することが懸念される。
【０００５】
本発明は、上記の点に鑑みてなされたものであり、半導体素子用基板において樹脂と金属との密着性を向上すると共に、反りを抑制することを目的とする。
【課題を解決するための手段】
【０００６】
本半導体素子用基板は、一方の面、他方の面、及び側面を備えた端子部と、前記端子部の一方の面を露出し、側面を被覆する樹脂部と、を有し、前記樹脂部は、第１樹脂と第２樹脂を備えた多層構造であり、前記第１樹脂が、前記端子部の側面に接して設けられ、前記第１樹脂及び前記第２樹脂はフィラーを含有し、前記第１樹脂が含有するフィラーの量は、前記第２樹脂が含有するフィラーの量よりも少ないことを要件とする。
【発明の効果】
【０００７】
開示の技術によれば、半導体素子用基板において樹脂と金属との密着性を向上すると共に、反りを抑制することができる。
【図面の簡単な説明】
【０００８】
【図１】第１の実施の形態に係る半導体素子用基板を例示する平面図である。
【図２】第１の実施の形態に係る半導体素子用基板を構成する単位基板を例示する図である。
【図３】第１の実施の形態に係る半導体素子用基板を構成する単位基板を例示する底面図である。
【図４】第１の実施の形態に係る半導体素子用基板の製造工程を例示する図（その１）である。
【図５】第１の実施の形態に係る半導体素子用基板の製造工程を例示する図（その２）である。
【図６】第１の実施の形態に係る半導体素子用基板の製造工程を例示する図（その３）である。
【図７】第１の実施の形態に係る半導体装置の製造工程を例示する図である。
【図８】第１の実施の形態の変形例１に係る半導体素子用基板を構成する単位基板を例示する図である。
【図９】第１の実施の形態の変形例１に係る半導体素子用基板の製造工程を例示する図である。
【図１０】第１の実施の形態の変形例１に係る半導体装置の製造工程を例示する図である。
【図１１】第１の実施の形態の変形例２に係る半導体素子用基板を構成する単位基板を例示する図である。
【図１２】第１の実施の形態の変形例２に係る半導体素子用基板の製造工程を例示する図（その１）である。
【図１３】第１の実施の形態の変形例２に係る半導体装置の製造工程を例示する図である。
【図１４】第１の実施の形態の変形例２に係る半導体素子用基板の製造工程を例示する図（その２）である。
【図１５】第１の実施の形態の変形例３に係る半導体素子用基板を構成する単位基板を例示する図である。
【図１６】第１の実施の形態の変形例３に係る半導体装置の製造工程を例示する図である。
【図１７】第１の実施の形態の変形例４に係る半導体素子用基板を構成する単位基板を例示する図である。
【図１８】第１の実施の形態の変形例４に係る半導体素子用基板の製造工程を例示する図である。
【図１９】第１の実施の形態の変形例５に係る半導体素子用基板を構成する単位基板を例示する図である。
【図２０】第１の実施の形態の変形例５に係る半導体素子用基板の製造工程を例示する図である。
【図２１】第１の実施の形態の変形例５に係る半導体装置の製造工程を例示する図である。
【図２２】第１の実施の形態の変形例６に係る半導体素子用基板を構成する単位基板を例示する図である。
【図２３】第１の実施の形態の変形例６に係る半導体装置の製造工程を例示する図である。
【発明を実施するための形態】
【０００９】
以下、図面を参照して発明を実施するための形態について説明する。なお、各図面において、同一構成部分には同一符号を付し、重複した説明を省略する場合がある。
【００１０】
〈第１の実施の形態〉
［半導体素子用基板の構造］
図１は、第１の実施の形態に係る半導体素子用基板を例示する平面図である。図１を参照するに、半導体素子用基板１は、平面視略矩形状の基板フレーム１０に、複数の単位基板群２０が離間して配列された構造を有している。
【００１１】
なお、図１の例では、３つの単位基板群２０を１列に配列しているが、配列する単位基板群２０の数は任意に決定することができる。又、単位基板群２０を複数列に配列しても構わない。又、図１の例では、隣接する単位基板群２０間にスリット１０ｘを設けているが、これは必須ではない。
【００１２】
半導体素子用基板１の材料としては、例えば、銅（Ｃｕ）、Ｃｕをベースにした合金、鉄−ニッケル（Ｆｅ−Ｎｉ）、Ｆｅ−Ｎｉをベースにした合金、又はステンレス等を用いることができる。
【００１３】
単位基板群２０には、複数の単位基板３０がマトリクス状に配列されている。単位基板３０は、最終的に半導体素子が搭載され、切断位置Ｃで切断されて、個々の半導体装置の一部となる領域である。なお、図１の例では、単位基板群２０が６行６列に配列された単位基板３０から構成されているが、単位基板群２０を構成する単位基板３０の数は任意に決定することができる。
【００１４】
図２は、第１の実施の形態に係る半導体素子用基板を構成する単位基板を例示する図であり、図２（ａ）は平面図、図２（ｂ）は図２（ａ）のＡ−Ａ線に沿う断面図、図２（ｃ）は図２（ａ）のＢ−Ｂ線に沿う断面図である。図３は、第１の実施の形態に係る半導体素子用基板を構成する単位基板を例示する底面図である。
【００１５】
図２及び図３を参照するに、単位基板３０は、ダイパッド３１と、リード３２と、樹脂部３３と、金属膜３４及び３５と、枠部３８と、サポートバー３９とを有している。
【００１６】
なお、本実施の形態では、便宜上、単位基板３０の金属膜３４及び３５が形成されている側を上側又は一方の側、金属膜３４及び３５が形成されていない側を下側又は他方の側とする。又、各部位の金属膜３４及び３５が形成されている側の面を一方の面又は上面、金属膜３４及び３５が形成されていない側の面を他方の面又は下面とする。但し、単位基板３０は天地逆の状態で用いることができ、又は任意の角度で配置することができる。又、平面視とは対象物をダイパッド３１の上面３１ａの法線方向から視ることを指し、平面形状とは対象物をダイパッド３１の上面３１ａの法線方向から視た形状を指すものとする。
【００１７】
ダイパッド３１は、半導体素子を搭載する上面３１ａ及び上面３１ａの反対面である下面３１ｂを備えた半導体素子搭載部である。ダイパッド３１は、例えば、単位基板３０の略中央部に平面形状が矩形状に形成されている。隣接する単位基板３０間には枠部３８が設けられており、平面視において、枠部３８の内側の四隅とダイパッド３１の外側の四隅は、斜めに設けられた４本の細長状のサポートバー３９により接続されている。ダイパッド３１の上面３１ａと、リード３２の上面３２ａと、枠部３８の上面と、サポートバー３９の上面とは、例えば、面一とすることができる。
【００１８】
ダイパッド３１の外周部の下面３１ｂ側には、切り欠き部３１１が、例えば環状に設けられている。切り欠き部３１１が設けられていない部分（薄化されていない部分）のダイパッド３１の厚さＴ１は、例えば、７５〜２００μｍ程度とすることができる。切り欠き部３１１が設けられている部分（薄化された部分）のダイパッド３１の厚さＴ２は、例えば、厚さＴ１の半分程度とすることができる。なお、枠部３８及びサポートバー３９の下面側はハーフエッチングされており、枠部３８及びサポートバー３９の厚さは、切り欠き部３１１が設けられている部分のダイパッド３１の厚さＴ２と略同一である。
【００１９】
平面視において、枠部３８の内側の所定領域からダイパッド３１に向かって、細長状の複数のリード３２が設けられている。なお、各々のリード３２は、半導体装置（後述）の製造工程において切断位置Ｃで切断される際に枠部３８から分離され、互いに電気的に絶縁される。
【００２０】
リード３２は、ダイパッド３１の外周部と離間して配置された端子部である。リード３２は、ダイパッド３１の周囲に互いに離間されて複数配列されている。リード３２のダイパッド３１の外周部側の端部の下面３２ｂ側には、切り欠き部３２１が設けられている。切り欠き部３２１が設けられていない部分（薄化されていない部分）のリード３２の厚さＴ３は、例えば、７５〜２００μｍ程度とすることができる。切り欠き部３２１が設けられている部分（薄化された部分）のリード３２の厚さＴ４は、例えば、厚さＴ３の半分程度とすることができる。なお、厚さＴ１と厚さＴ３とは略同一であり、厚さＴ２と厚さＴ４とは略同一である。
【００２１】
樹脂部３３は、ダイパッド３１の上面３１ａ及びリード３２の上面３２ａを露出した状態でダイパッド３１及びリード３２を保持し、切り欠き部３１１及び切り欠き部３２１を埋めるように設けられている。
【００２２】
より詳しくは、樹脂部３３は、平面視において、ダイパッド３１、リード３２、枠部３８、及びサポートバー３９が形成されていない領域を埋めるように設けられている。又、樹脂部３３は、切り欠き部３１１及び３２１を埋めると共に、ハーフエッチングされた枠部３８及びサポートバー３９の下面を被覆するように設けられている。言い換えれば、枠部３８及びサポートバー３９は、樹脂部３３上に設けられている。従って、図３に示す単位基板３０の底面図において、切り欠き部３１１及び３２１の内壁面、並びに枠部３８及びサポートバー３９の下面は、樹脂部３３からは露出しない。樹脂部３３は、ダイパッド３１の下面３１ｂ及びリード３２の下面３２ｂを露出している。
【００２３】
樹脂部３３は、第１樹脂３３１と第２樹脂３３２とを備えた多層構造である。第１樹脂３３１は、切り欠き部３１１の内壁面及び切り欠き部３２１の内壁面と接して配置されている。第２樹脂３３２は、切り欠き部３１１の内壁面及び切り欠き部３２１の内壁面との間に第１樹脂３３１を挟んで配置されている。すなわち、第２樹脂３３２と切り欠き部３１１の内壁面及び切り欠き部３２１の内壁面との間には第１樹脂３３１が存在しており、第２樹脂３３２は切り欠き部３１１の内壁面及び切り欠き部３２１の内壁面とは接していない。
【００２４】
第１樹脂３３１は、切り欠き部３１１内からダイパッド３１の側面の一部（側面の下方側）に延伸してダイパッド３１の側面の一部を直接被覆している。又、第１樹脂３３１は、切り欠き部３２１内からリード３２の側面の一部（側面の下方側）に延伸してリード３２の側面の一部を直接被覆している。第２樹脂３３２は、切り欠き部３１１内からダイパッド３１の側面の一部（側面の下方側）を直接被覆する第１樹脂３３１上に延伸している。又、第２樹脂３３２は、切り欠き部３２１内からリード３２の側面の一部（側面の下方側）を直接被覆する第１樹脂３３１上に延伸している。
【００２５】
ダイパッド３１の切り欠き部３１１形成部分より上面３１ａ側の側面は、樹脂部３３より露出している。又、リード３２の切り欠き部３２１形成部分より上面３２ａ側の側面は、樹脂部３３より露出している。
【００２６】
リード３２は、樹脂部３３の上面に沿って平面方向に延出するリード本体を有する。リード３２のリード本体の上面と側面が樹脂部３３から露出し、リード本体の下面は樹脂部３３（第１樹脂３３１）に接している。リード３２の上面３２ａは、リード本体の上面となる。
【００２７】
リード３２は、リード本体から下方に突出し、樹脂部３３の下面から露出する外部接続部を有する。外部接続部の側面は樹脂部３３（第１樹脂３３１）に接し、外部接続部の下面は樹脂部３３の下面から露出している。樹脂部３３から露出するリード３２の下面３２ｂは、外部接続部の下面となる。
【００２８】
このように、樹脂部３３は、切り欠き部３１１内及び切り欠き部３２１内に充填され、ダイパッド３１及びリード３２の側面の下方側を被覆している。言い換えれば、ダイパッド３１及びリード３２の上面側は、樹脂部３３の上面から突起している。又、第１樹脂３３１はダイパッド３１及びリード３２と接する部分を有しているが、第２樹脂３３２はダイパッド３１及びリード３２と接する部分を有していない。
【００２９】
又、第１樹脂３３１は、枠部３８の下面及びサポートバー３９の下面と接して配置されている。第２樹脂３３２は、枠部３８の下面及びサポートバー３９の下面との間に第１樹脂３３１を挟んで配置されている。すなわち、第２樹脂３３２と枠部３８の下面及びサポートバー３９の下面との間には第１樹脂３３１が存在しており、第２樹脂３３２は枠部３８の下面及びサポートバー３９の下面とは接していない。
【００３０】
樹脂部３３の下面（第１樹脂３３１の下面及び第２樹脂３３２の下面）は、例えば、ダイパッド３１の下面３１ｂ及びリード３２の下面３２ｂと面一とすることができる。
【００３１】
第１樹脂３３１及び第２樹脂３３２としては、例えば、エポキシ系樹脂やポリイミド系樹脂等を用いることができる。第１樹脂３３１及び第２樹脂３３２は、例えば、シリカやアルミナ等のフィラーを含有している。第１樹脂３３１が含有するフィラーの量は、第２樹脂３３２が含有するフィラーの量よりも少ない。第１樹脂３３１が含有するフィラーの種類は、第２樹脂３３２が含有するフィラーの種類と同一であってもよいし、異なっていてもよい。
【００３２】
ダイパッド３１、リード３２、枠部３８、及びサポートバー３９と接する第１樹脂３３１が含有するフィラーの量を少なくすることにより、ダイパッド３１、リード３２、枠部３８、及びサポートバー３９と第１樹脂３３１を構成する樹脂部分（フィラーを除く部分）との接触面積が増える。そのため、樹脂部３３とダイパッド３１、リード３２、枠部３８、及びサポートバー３９との密着性を向上することができる。
【００３３】
一方、第２樹脂３３２が含有するフィラーの量を多くすることにより、樹脂部３３の熱膨張係数の調整が容易となる。例えば、第２樹脂３３２が含有するフィラーの量を調整し、樹脂部３３の熱膨張係数をダイパッド３１、リード３２、枠部３８、及びサポートバー３９の熱膨張係数と近くすることにより、半導体素子用基板１の反りを低減できる。
【００３４】
ダイパッド３１の上面３１ａの、ダイパッド３１の外周部に位置する領域には、環状の金属膜３４が形成されている。又、リード３２は、長手方向の略中央部よりダイパッド３１の外周部側が縮幅しており、リード３２の上面３２ａの縮幅する領域の端部（ダイパッド３１の外周部側の端部）には、金属膜３５が形成されている。但し、リード３２の長手方向の略中央部よりダイパッド３１側が縮幅することは必須ではなく、リード３２は一定幅であってもよい。
【００３５】
金属膜３４及び３５は、ダイパッド３１に搭載される半導体素子の電極と金属線で接続されるボンディングパッドとして用いることができる。金属膜３４及び３５としては、例えば、Ａｇ膜、Ａｕ膜、Ｓｎ膜、Ｎｉ／Ａｕ膜（Ｎｉ膜とＡｕ膜をこの順番で積膜した金属膜）、Ｎｉ／Ｐｄ／Ａｕ膜（Ｎｉ膜とＰｄ膜とＡｕ膜をこの順番で積膜した金属膜）等を用いることができる。
【００３６】
［半導体素子用基板の製造方法］
次に、第１の実施の形態に係る半導体素子用基板の製造方法について、単位基板３０を図示しながら説明する。図４〜図６は、第１の実施の形態に係る半導体素子用基板の製造工程を例示する図であり、図２（ｂ）に対応する断面を示している。
【００３７】
まず、図４（ａ）に示す工程では、図１に示す基板フレーム１０と同形状の金属製の板材１０Ａ（金属板）を準備する。板材１０Ａの材料としては、例えば、銅（Ｃｕ）、Ｃｕをベースにした合金、鉄−ニッケル（Ｆｅ−Ｎｉ）、Ｆｅ−Ｎｉをベースにした合金、又はステンレス等を用いることができる。板材１０Ａの厚さは、例えば、７５〜２００μｍ程度とすることができる。
【００３８】
次に、板材１０Ａの上面の全面に感光性のレジスト３００を形成し、板材１０Ａの下面の全面に感光性のレジスト３１０を形成する。レジスト３００及び３１０としては、例えば、ドライフィルムレジスト等を用いることができる。そして、レジスト３１０を露光及び現像し、ハーフエッチングする領域を露出するようにパターニングする。レジスト３１０は、切り欠き部３１１及び３２１が設けられる領域、並びに枠部３８及びサポートバー３９となる領域を露出するようにパターニングされる。なお、レジスト３００は、板材１０Ａの上面の全面を被覆したままである。
【００３９】
次に、図４（ｂ）に示す工程では、レジスト３００及び３１０をエッチングマスクとして板材１０Ａをハーフエッチングする。レジスト３１０に被覆されていない領域が板材１０Ａの下面側からハーフエッチングされ、板材１０Ａの下面側から上面側に窪む凹部１０ｙが形成される。板材１０Ａが銅である場合には、例えば、塩化第二銅水溶液を用いたウェットエッチングにより、凹部１０ｙを形成することができる。凹部１０ｙは、切り欠き部３１１及び３２１が設けられる領域、並びに枠部３８及びサポートバー３９となる領域に形成される。言い換えれば、枠部３８及びサポートバー３９となる領域の下面側は、この工程でハーフエッチングされる。
【００４０】
次に、図４（ｃ）に示す工程では、図４（ｂ）に示すレジスト３００及び３１０を除去する。レジスト３００及び３１０を除去後、必要に応じ、凹部１０ｙの内壁面を含む板材１０Ａの上面及び下面に粗化処理を施してもよい。粗化処理としては、特に限定されないが、一例として、酸化処理やブラスト処理等が挙げられる。粗化処理を施すことにより、板材１０Ａと第１樹脂３３１との密着性を一層向上することができる。
【００４１】
次に、図４（ｄ）に示す工程では、金属箔４００上に設けられたフィルム状の樹脂部３３を準備する。樹脂部３３は、金属箔４００上に第２樹脂３３２及び第１樹脂３３１が順次積層された多層構造である。第２樹脂３３２及び第１樹脂３３１は、この段階ではＢステージ状態（半硬化状態）である。なお、金属箔４００の両面の粗度が異なる場合には、後工程において樹脂部３３に対する金属箔４００の剥離を容易にするため、粗度の小さい面に樹脂部３３を積層することが好ましい。
【００４２】
金属箔４００としては、例えば、厚さ１２〜２５μｍ程度の銅箔を用いることができる。第１樹脂３３１及び第２樹脂３３２としては、例えば、エポキシ系樹脂やポリイミド系樹脂等を用いることができる。第１樹脂３３１の厚さは、例えば、１０〜３０μｍ程度とすることができる。第２樹脂３３２の厚さは、例えば、３０〜５０μｍ程度とすることができる。第１樹脂３３１及び第２樹脂３３２は、例えば、シリカやアルミナ等のフィラーを含有している。第１樹脂３３１が含有するフィラーの量は、第２樹脂３３２が含有するフィラーの量よりも少ない。
【００４３】
なお、図４（ｄ）の工程において、金属箔４００上に第２樹脂３３２及び第１樹脂３３１が順次積層された樹脂部３３に代えて、支持フィルム上に第２樹脂３３２及び第１樹脂３３１が順次積層された樹脂部３３を用いてもよい。支持フィルムとしては、例えば、ポリエチレンテレフタレート、ポリエチレン等の樹脂フィルムを用いることができる。支持フィルムの厚さは、例えば、３０〜４０μｍ程度とすることができる。支持フィルムは、後述の図５（ｄ）の工程において、例えば、機械的に剥離される。
【００４４】
次に、図４（ｄ）の矢印下側に示すように、樹脂部３３を板材１０Ａの下面に貼り付けると共に凹部１０ｙを樹脂部３３で埋める。具体的には、樹脂部３３が積層された金属箔４００を、第１樹脂３３１が板材１０Ａの下面と対向するように配置し、板材１０Ａを金属箔４００側に押圧する。Ｂステージ状態の第１樹脂３３１及び第２樹脂３３２は、凹部１０ｙの形状に沿って変形し、凹部１０ｙを埋める。この時、樹脂部３３の上層である第１樹脂３３１のみが、凹部１０ｙの内壁面を含む板材１０Ａの下面と接する。その後、第１樹脂３３１及び第２樹脂３３２を硬化温度以上に加熱して硬化させることにより、樹脂部３３が板材１０Ａの下面側に貼り付けられる。板材１０Ａを金属箔４００側に押圧しながら、第１樹脂３３１及び第２樹脂３３２を加熱してもよい。なお、図４（ｄ）の矢印下側に示す構造体が金属箔４００を備えることで、製造工程内の製品剛性を上げることが可能となり、以降の製造工程を安定して行うことができる。
【００４５】
次に、図５（ａ）に示す工程では、板材１０Ａの上面の全面に感光性のレジスト３２０を形成し、金属箔４００の下面の全面に感光性のレジスト３３０を形成する。レジスト３２０及び３３０としては、例えば、ドライフィルムレジスト等を用いることができる。そして、レジスト３２０を露光及び現像し、エッチングする領域を露出するようにパターニングする。レジスト３２０は、平面視において、図２（ａ）のダイパッド３１、リード３２、枠部３８、及びサポートバー３９が形成されている領域を被覆するようにパターニングされる。なお、レジスト３３０は、金属箔４００の下面の全面を被覆したままである。
【００４６】
次に、図５（ｂ）に示す工程では、レジスト３２０及び３３０をエッチングマスクとして板材１０Ａをエッチングする。これにより、板材１０Ａの凹部１０ｙの底部をなす領域の一部が除去され、図２（ａ）に示した平面形状のダイパッド３１、リード３２、枠部３８、及びサポートバー３９が形成される。このとき、ダイパッド３１の外周部の下面３１ｂ側に凹部１０ｙが分離された切り欠き部３１１が設けられると共に、リード３２のダイパッド３１側の領域の下面３２ｂ側に凹部１０ｙが分離された切り欠き部３２１が設けられる。
【００４７】
板材１０Ａが銅である場合には、例えば、塩化第二銅水溶液を用いたウェットエッチングにより、切り欠き部３１１を含むダイパッド３１、切り欠き部３２１を含むリード３２、枠部３８、及びサポートバー３９を形成することができる。なお、図４（ｂ）に示す工程のハーフエッチングで凹部１０ｙの底部が薄化されており、容易にエッチングできるため、狭ピッチで配置されたリード３２を作製できる。リード３２のピッチは、例えば、３０〜７０μｍ程度とすることができる。
【００４８】
次に、図５（ｃ）に示す工程では、図５（ｂ）に示すレジスト３２０及び３３０を除去する。
【００４９】
次に、図５（ｄ）に示す工程では、まず、金属箔４００を除去する。金属箔４００と接している第２樹脂３３２はフィラーの含有量が多いため、金属箔４００との密着性が低い。そのため、金属箔４００は第２樹脂３３２から機械的に剥離することで容易に除去できる。但し、金属箔４００は、バフ研磨やウェットブラスト処理により除去してもよい。
【００５０】
金属箔４００を除去後、ダイパッド３１の下面３１ｂ及びリード３２の下面３２ｂよりも下側に形成された樹脂部３３を除去し、ダイパッド３１の下面３１ｂ及びリード３２の下面３２ｂを露出する。不要部を除去された樹脂部３３の下面は、例えば、ダイパッド３１の下面３１ｂ及びリード３２の下面３２ｂと面一とすることができる。樹脂部３３の不要部の除去は、例えば、バフ研磨やウェットブラスト処理により行うことができる。
【００５１】
ダイパッド３１の下面３１ｂ及びリード３２の下面３２ｂに研磨剤が残留する場合には、ダイパッド３１の下面３１ｂ及びリード３２の下面３２ｂにソフトエッチングを施して研磨剤を除去することが好ましい。ソフトエッチングとは、対象物の表面を数μｍ程度均一にエッチングすることである。ダイパッド３１及びリード３２が銅である場合には、例えば、塩化第二銅水溶液を用いてソフトエッチングを行うことができる。なお、研磨剤除去のソフトエッチングを施す場合、ダイパッド３１の下面３１ｂ及びリード３２の下面３２ｂが、樹脂部３３の下面から僅かに凹む。
【００５２】
次に、図６（ａ）に示す工程では、ダイパッド３１の上面３１ａ、リード３２の上面３２ａ、枠部３８の上面、及びサポートバー３９の上面に感光性のレジスト３４０を形成する。同様に、ダイパッド３１の下面３１ｂ、リード３２の下面３２ｂ、及び樹脂部３３の下面に感光性のレジスト３５０を形成する。レジスト３４０及び３５０としては、例えば、ドライフィルムレジスト等を用いることができる。そして、レジスト３４０を露光及び現像し、金属膜３４及び３５を形成する領域を露出するようにパターニングする。なお、レジスト３５０は、ダイパッド３１の下面３１ｂ、リード３２の下面３２ｂ、及び樹脂部３３の下面の全面を被覆したままである。
【００５３】
次に、図６（ｂ）に示す工程では、レジスト３４０に被覆されていない領域のダイパッド３１の上面３１ａに金属膜３４を形成し、レジスト３４０に被覆されていない領域のリード３２の上面３２ａに金属膜３５を形成する。金属膜３４及び３５の材料は、前述の通りである。金属膜３４及び３５は、例えば、電解めっき法により形成できる。各々の単位基板３０のダイパッド３１及びリード３２は、枠部３８及びサポートバー３９により相互に電気的に接続されているため、枠部３８及びサポートバー３９を電解めっきの際の給電経路とすることができる。
【００５４】
次に、図６（ｃ）に示す工程では、図６（ｂ）に示すレジスト３４０及び３５０を除去する。これにより、単位基板３０が行列状に配置された半導体素子用基板１（図１参照）が完成する。
【００５５】
引き続き、単位基板３０に半導体素子を搭載して半導体装置を作製する工程について説明する。まず、図７（ａ）に示す工程では、各単位基板３０のダイパッド３１の上面３１ａに半導体素子４０をフェイスアップ状態で搭載する。半導体素子４０は、例えば、銀ペースト等の導電性の接着材５０を介してダイパッド３１の上面３１ａに搭載（ダイボンディング）することができる。
【００５６】
次に、図７（ｂ）に示す工程では、半導体素子４０の回路形成面側に形成された電極端子４１を、金線や銅線等である金属線６０を介して、金属膜３４及び３５と電気的に接続する。金属線６０は、例えば、ワイヤボンディング法により、半導体素子４０の電極端子４１と金属膜３４及び３５とを接続できる。
【００５７】
次に、図７（ｃ）に示す工程では、各単位基板３０、半導体素子４０、及び金属線６０を封止する封止樹脂７０を形成する。封止樹脂７０としては、例えば、エポキシ系樹脂等の絶縁性樹脂にフィラーを含有させた所謂モールド樹脂等を用いることができる。封止樹脂７０は、例えば、トランスファーモールド法やコンプレッションモールド法等により形成できる。封止樹脂７０は、単位基板３０の上面側に設けられる。
【００５８】
次に、図７（ｄ）に示す工程では、リード３２の下面３２ｂに外部接続用の金属膜３６を形成後、個片化する。金属膜３６としては、金属膜３４、３５と同じ金属膜を適用できる。一例として、金属膜３６としてＳｎ膜を用いることができる。
【００５９】
金属膜３６を形成するには、ダイパッド３１の下面３１ｂ、リード３２の下面３２ｂ、及び樹脂部３３の下面に感光性のレジストを形成し、露光及び現像して金属膜３６を形成する領域を露出するようにパターニングする。そして、レジストに被覆されていない領域のリード３２の下面３２ｂに、例えば、枠部３８及びサポートバー３９を給電経路とする電解めっき法により金属膜３６を形成し、その後レジストを除去する。なお、ダイパッド３１の下面３１ｂにも金属膜３６を設けても良い。この場合、レジスト形成を省いて電解めっきを施すことにより、リード３２の下面３２ｂへの金属膜３６の形成と同時に、ダイパッド３１の下面３１ｂに金属膜３６と同じ金属膜を形成することができる。
【００６０】
金属膜３６を形成後、切断位置Ｃで切断して個片化することにより、複数の半導体装置２が完成する。切断は、例えば、スライサー等により実行できる。なお、金属線６０を介して金属膜３４と接続される電極端子４１は、例えば、ダイパッド３１をＧＮＤに接続することにより、ＧＮＤ電位に固定することができる。
【００６１】
半導体装置２において、ダイパッド３１の上面３１ａと、ダイパッド３１の上面３１ａ側の側面は、封止樹脂７０に被覆されている。又、リード３２の上面３２ａと、リード３２の上面３２ａ側の側面は、封止樹脂７０に被覆されている。又、切断により形成されたリード３２の側面が、切断により形成された封止樹脂７０の側面及び樹脂部３３の側面に露出している。
【００６２】
なお、半導体装置２を１つの製品として出荷してもよいし、図２及び図３に示した単位基板３０を備えた個片化前の半導体素子用基板１（図１）を１つの製品として出荷してもよい。後者の場合には、半導体素子用基板１を製品として入手した者が図７に示す各工程を実行し、複数の半導体装置２を作製することができる。
【００６３】
〈第１の実施の形態の変形例１〉
第１の実施の形態の変形例１では、下面側に金属箔を備えた半導体素子用基板の例を示す。なお、第１の実施の形態の変形例１において、既に説明した実施の形態と同一構成部についての説明は省略する場合がある。
【００６４】
図８は、第１の実施の形態の変形例１に係る半導体素子用基板を構成する単位基板を例示する図であり、図８（ａ）は平面図、図８（ｂ）は図８（ａ）のＡ−Ａ線に沿う断面図、図８（ｃ）は図８（ａ）のＢ−Ｂ線に沿う断面図である。
【００６５】
図８を参照するに、単位基板３０Ａは、ダイパッド３１の下面３１ｂ及びリード３２の下面３２ｂに金属箔４００、第２樹脂３３２、及び第１樹脂３３１の積層体が貼り付けられた点が、単位基板３０（図２等参照）と相違する。
【００６６】
単位基板３０Ａでは、単位基板３０と同様に、樹脂部３３は、平面視において、ダイパッド３１、リード３２、枠部３８、及びサポートバー３９が形成されていない領域を埋めるように設けられている。又、樹脂部３３は、切り欠き部３１１及び３２１を埋めると共に、ハーフエッチングされた枠部３８及びサポートバー３９の下面を被覆するように設けられている。但し、単位基板３０Ａでは、単位基板３０とは異なり、樹脂部３３は、ダイパッド３１の下面３１ｂ及びリード３２の下面３２ｂを被覆している。
【００６７】
具体的には、第２樹脂３３２は金属箔４００上に形成され、第１樹脂３３１は第２樹脂３３２上に形成されている。そして、第１樹脂３３１は、切り欠き部３１１内からダイパッド３１の下面３１ｂに延伸してダイパッド３１の下面３１ｂの全面を直接被覆すると共に、切り欠き部３２１内からリード３２の下面３２ｂに延伸してリード３２の下面３２ｂの全面を直接被覆している。又、第２樹脂３３２は、切り欠き部３１１内からダイパッド３１の下面３１ｂを直接被覆する第１樹脂３３１上に延伸すると共に、切り欠き部３２１内からリード３２の下面３２ｂを直接被覆する第１樹脂３３１上に延伸している。
【００６８】
図９は、第１の実施の形態の変形例１に係る半導体素子用基板の製造工程を例示する図であり、図８（ｂ）に対応する断面を示している。単位基板３０Ａが行列状に配置された半導体素子用基板１を作製するには、まず、第１の実施の形態の図４（ａ）〜図５（ｃ）と同様の工程を実行し、図９（ａ）に示す構造体を作製する。
【００６９】
次に、図９（ｂ）に示す工程では、図６（ａ）〜図６（ｃ）の工程と同様にして、ダイパッド３１の上面３１ａの所定領域に金属膜３４を形成し、リード３２の上面３２ａの所定領域に金属膜３５を形成する。これにより、単位基板３０Ａが行列状に配置された半導体素子用基板１（図１参照）が完成する。なお、本実施の形態では、半導体素子用基板１の製造工程において、図５（ｄ）に相当する工程は実行しない。
【００７０】
引き続き、単位基板３０Ａに半導体素子を搭載して半導体装置を作製する工程について説明する。まず、単位基板３０に代えて単位基板３０Ａを用いる以外は第１の実施の形態の図７（ａ）〜図７（ｃ）と同様の工程を実行し、図１０（ａ）に示す構造体を作製する。
【００７１】
次に、図１０（ｂ）に示す工程では、図５（ｄ）に示す工程と同様にして、金属箔４００を除去する。そして、ダイパッド３１の下面３１ｂ及びリード３２の下面３２ｂよりも下側に形成された樹脂部３３を除去し、ダイパッド３１の下面３１ｂ及びリード３２の下面３２ｂを露出する。不要部を除去された樹脂部３３の下面は、例えば、ダイパッド３１の下面３１ｂ及びリード３２の下面３２ｂと面一とすることができる。
【００７２】
次に、図１０（ｃ）に示す工程では、図７（ｄ）に示す工程と同様にして、リード３２の下面３２ｂに外部接続用の金属膜３６を形成後、切断位置Ｃで切断して個片化することにより、複数の半導体装置２Ａが完成する。半導体装置２Ａは、半導体装置２と同一構造である。
【００７３】
なお、半導体装置２Ａを１つの製品として出荷してもよいし、図８に示した単位基板３０Ａを備えた個片化前の半導体素子用基板１を１つの製品として出荷してもよい。後者の場合には、半導体素子用基板１を製品として入手した者が図１０に示す各工程を実行し、複数の半導体装置２Ａを作製することができる。
【００７４】
このように、半導体装置を作製する工程の終盤まで金属箔４００を備えることにより、それまでの製造工程内の製品剛性を上げることが可能となるため、各々の製造工程を安定して行うことができる。
【００７５】
〈第１の実施の形態の変形例２〉
第１の実施の形態の変形例２では、他の樹脂部を備えた半導体素子用基板の例を示す。なお、第１の実施の形態の変形例２において、既に説明した実施の形態と同一構成部についての説明は省略する場合がある。
【００７６】
図１１は、第１の実施の形態の変形例２に係る半導体素子用基板を構成する単位基板を例示する図であり、図１１（ａ）は平面図、図１１（ｂ）は図１１（ａ）のＡ−Ａ線に沿う断面図、図１１（ｃ）は図１１（ａ）のＢ−Ｂ線に沿う断面図である。
【００７７】
図１１を参照するに、単位基板３０Ｂは、ダイパッド３１、リード３２、枠部３８、及びサポートバー３９が形成されていない領域の樹脂部３３上に他の樹脂部３７が形成された点が、単位基板３０Ａ（図８等参照）と相違する。
【００７８】
樹脂部３７は、平面視において、ダイパッド３１、リード３２、枠部３８、及びサポートバー３９が形成されていない領域を埋めるように樹脂部３３の上面に設けられている。具体的には、樹脂部３７は、第３樹脂３７１と第４樹脂３７２とを備えた多層構造である。そして、第３樹脂３７１は、樹脂部３３から露出するダイパッド３１の側面、樹脂部３３から露出するリード３２の長手方向の側面、樹脂部３３から露出するリード３２のダイパッド３１と対向する端面、枠部３８の内側面、サポートバー３９の側面、及び第１樹脂３３１の上面と接して配置されている。
【００７９】
又、第４樹脂３７２は、樹脂部３３から露出するダイパッド３１の側面、樹脂部３３から露出するリード３２の長手方向の側面、樹脂部３３から露出するリード３２のダイパッド３１と対向する端面、枠部３８の内側面、サポートバー３９の側面、及び第１樹脂３３１の上面との間に第３樹脂３７１を挟んで配置されている。なお、樹脂部３７は、ダイパッド３１の上面３１ａ、リード３２の上面３２ａ、枠部３８の上面、及びサポートバー３９の上面を露出している。
【００８０】
第３樹脂３７１及び第４樹脂３７２としては、例えば、エポキシ系樹脂やポリイミド系樹脂等を用いることができる。第３樹脂３７１及び第４樹脂３７２は、例えば、シリカやアルミナ等のフィラーを含有している。第３樹脂３７１が含有するフィラーの量は、第４樹脂３７２が含有するフィラーの量よりも少ない。第３樹脂３７１が含有するフィラーの種類は、第４樹脂３７２が含有するフィラーの種類と同一であってもよいし、異なっていてもよい。
【００８１】
ダイパッド３１、リード３２、枠部３８、及びサポートバー３９と接する第３樹脂３７１が含有するフィラーの量を少なくすることにより、ダイパッド３１、リード３２、枠部３８、及びサポートバー３９と第３樹脂３７１を構成する樹脂部分（フィラーを除く部分）との接触面積が増える。そのため、樹脂部３７とダイパッド３１、リード３２、枠部３８、及びサポートバー３９との密着性を向上することができる。
【００８２】
一方、第４樹脂３７２が含有するフィラーの量を多くすることにより、樹脂部３７の熱膨張係数の調整が容易となる。例えば、第４樹脂３７２が含有するフィラーの量を調整し、樹脂部３７の熱膨張係数をダイパッド３１、リード３２、枠部３８、及びサポートバー３９の熱膨張係数と近くすることにより、半導体素子用基板１の反りを低減できる。
【００８３】
図１２は、第１の実施の形態の変形例２に係る半導体素子用基板の製造工程を例示する図であり、図１１（ｂ）に対応する断面を示している。単位基板３０Ｂが行列状に配置された半導体素子用基板１を作製するには、まず、第１の実施の形態の図４（ａ）〜図５（ｃ）と同様の工程を実行し、図９（ａ）に示す構造体を作製する。
【００８４】
次に、図１２（ａ）に示す工程では、金属箔４５０上に設けられたフィルム状の樹脂部３７を準備する。樹脂部３７は、金属箔４５０上に第４樹脂３７２及び第３樹脂３７１が順次積層された多層構造である。第４樹脂３７２及び第３樹脂３７１は、この段階ではＢステージ状態（半硬化状態）である。なお、金属箔４５０の両面の粗度が異なる場合には、後工程において樹脂部３７に対する金属箔４５０の剥離を容易にするため、粗度の小さい面に樹脂部３７を積層することが好ましい。
【００８５】
金属箔４５０としては、例えば、厚さ１２〜２５μｍ程度の銅箔を用いることができる。第３樹脂３７１及び第４樹脂３７２としては、例えば、エポキシ系樹脂やポリイミド系樹脂等を用いることができる。第３樹脂３７１の厚さは、例えば、１０〜３０μｍ程度とすることができる。第４樹脂３７２の厚さは、例えば、３０〜５０μｍ程度とすることができる。第３樹脂３７１及び第４樹脂３７２は、例えば、シリカやアルミナ等のフィラーを含有している。第３樹脂３７１が含有するフィラーの量は、第４樹脂３７２が含有するフィラーの量よりも少ない。
【００８６】
次に、樹脂部３７をダイパッド３１の上面３１ａ、リード３２の上面３２ａ、枠部３８の上面、及びサポートバー３９の上面に貼り付けると共に、樹脂部３７で樹脂部３３上のダイパッド３１、リード３２、枠部３８、及びサポートバー３９が形成されていない領域を埋める。具体的には、樹脂部３７が積層された金属箔４５０を第３樹脂３７１がダイパッド３１の上面３１ａ、リード３２の上面３２ａ、枠部３８の上面、及びサポートバー３９の上面と対向するように配置し、金属箔４５０を金属箔４００側に押圧する。Ｂステージ状態の第３樹脂３７１及び第４樹脂３７２は、変形して樹脂部３３上のダイパッド３１、リード３２、枠部３８、及びサポートバー３９が形成されていない領域を埋める。
【００８７】
この時、樹脂部３７の上層である第３樹脂３７１のみが、樹脂部３３から露出するダイパッド３１の側面、樹脂部３３から露出するリード３２の長手方向の側面、樹脂部３３から露出するリード３２のダイパッド３１と対向する端面、枠部３８の内側面、サポートバー３９の側面、及び第１樹脂３３１の上面と接して配置される。その後、第３樹脂３７１及び第４樹脂３７２を硬化温度以上に加熱して硬化させる。金属箔４５０を金属箔４００側に押圧しながら、第３樹脂３７１及び第４樹脂３７２を加熱してもよい。
【００８８】
次に、図１２（ｂ）に示す工程では、まず、金属箔４５０を除去する。金属箔４５０と接している第４樹脂３７２はフィラーの含有量が多いため、金属箔４５０との密着性が低い。そのため、金属箔４５０は第４樹脂３７２から機械的に剥離することで容易に除去できる。但し、金属箔４５０は、バフ研磨やウェットブラスト処理により除去してもよい。
【００８９】
金属箔４５０を除去後、ダイパッド３１の上面３１ａ、リード３２の上面３２ａ、枠部３８の上面、及びサポートバー３９の上面よりも上側に形成された樹脂部３７を除去し、ダイパッド３１の上面３１ａ、リード３２の上面３２ａ、枠部３８の上面、及びサポートバー３９の上面を露出する。不要部を除去された樹脂部３７の上面は、例えば、ダイパッド３１の上面３１ａ、リード３２の上面３２ａ、枠部３８の上面、及びサポートバー３９の上面と面一とすることができる。樹脂部３７の除去は、例えば、図５（ｄ）に示す工程と同様に、バフ研磨やウェットブラスト処理により行うことができる。
【００９０】
ダイパッド３１の上面３１ａ、リード３２の上面３２ａ、枠部３８の上面、及びサポートバー３９の上面に研磨剤が残留する場合には、ダイパッド３１の上面３１ａ、リード３２の上面３２ａ、枠部３８の上面、及びサポートバー３９の上面にソフトエッチングを施して研磨剤を除去することが好ましい。ダイパッド３１、リード３２、枠部３８、及びサポートバー３９が銅である場合には、例えば、塩化第二銅水溶液を用いてソフトエッチングを行うことができる。なお、研磨剤除去のソフトエッチングを施す場合、ダイパッド３１の上面３１ａ、リード３２の上面３２ａ、枠部３８の上面、及びサポートバー３９の上面が、樹脂部３７の上面から僅かに凹む。
【００９１】
次に、図１２（ｃ）に示す工程では、図６（ａ）〜図６（ｃ）の工程と同様にして、ダイパッド３１の上面３１ａの所定領域に金属膜３４を形成し、リード３２の上面３２ａの所定領域に金属膜３５を形成する。これにより、単位基板３０Ｂが行列状に配置された半導体素子用基板１（図１参照）が完成する。
【００９２】
引き続き、単位基板３０Ｂに半導体素子を搭載して半導体装置を作製する工程について説明する。まず、単位基板３０に代えて単位基板３０Ｂを用いる以外は第１の実施の形態の図７（ａ）〜図７（ｃ）と同様の工程を実行し、図１３（ａ）に示す構造体を作製する。
【００９３】
次に、図１３（ｂ）に示す工程では、図５（ｄ）に示す工程と同様にして、金属箔４００を剥離した後、ダイパッド３１の下面３１ｂ及びリード３２の下面３２ｂよりも下側に形成された樹脂部３３を除去する。不要部を除去された樹脂部３３の下面は、例えば、ダイパッド３１の下面３１ｂ及びリード３２の下面３２ｂと面一とすることができる。
【００９４】
次に、図１３（ｃ）に示す工程では、図７（ｄ）に示す工程と同様にして、リード３２の下面３２ｂに外部接続用の金属膜３６を形成後、切断位置Ｃで切断して個片化することにより、複数の半導体装置２Ｂが完成する。
【００９５】
なお、半導体装置２Ｂを１つの製品として出荷してもよいし、図１１に示した単位基板３０Ｂを備えた個片化前の半導体素子用基板１を１つの製品として出荷してもよい。後者の場合には、半導体素子用基板１を製品として入手した者が図１３に示す各工程を実行し、複数の半導体装置２Ｂを作製することができる。
【００９６】
このように、樹脂部３７が樹脂部３３上のダイパッド３１、リード３２、枠部３８、及びサポートバー３９が形成されていない領域を埋めることで、製品剛性を向上することが可能となると共に、反りを一層抑制できる。
【００９７】
又、半導体装置を作製する工程の終盤まで金属箔４００を備えることにより、それまでの製造工程内の製品剛性を上げることが可能となるため、各々の製造工程を安定して行うことができる。
【００９８】
なお、図１２（ｃ）に示す工程の後、図１４に示すように、第１の実施の形態と同様に、金属箔４００を剥離し、ダイパッド３１の下面３１ｂ及びリード３２の下面３２ｂよりも下側に形成された樹脂部３３を除去してもよい。この場合には、半導体装置を作製する工程では金属箔４００を備えないことになるが、樹脂部３７を備えることで製品剛性が向上されているため、各々の製造工程を安定して行うことができる。
【００９９】
〈第１の実施の形態の変形例３〉
第１の実施の形態の変形例３では、ダイパッドの上面に多数の金属膜が形成された半導体素子用基板の例を示す。なお、第１の実施の形態の変形例３において、既に説明した実施の形態と同一構成部についての説明は省略する場合がある。
【０１００】
図１５は、第１の実施の形態の変形例３に係る半導体素子用基板を構成する単位基板を例示する図であり、図１５（ａ）は平面図、図１５（ｂ）は図１５（ａ）のＡ−Ａ線に沿う断面図、図１５（ｃ）は図１５（ａ）のＢ−Ｂ線に沿う断面図である。
【０１０１】
図１５を参照するに、単位基板３０Ｃは、ダイパッド３１の上面３１ａに複数の金属膜３４Ａが形成された点が、単位基板３０（図２等参照）と相違する。
【０１０２】
ダイパッド３１の上面３１ａには、多数の金属膜３４Ａが縦横（エリアアレイ状）に配列されている。単位基板３０Ｃは、第１の実施の形態の図４（ａ）〜図６（ｃ）と同様の工程により形成できる。但し、図６（ａ）に示す工程では、図１５（ａ）の金属膜３４Ａが形成された領域に対応するようにレジスト３４０をパターニングする。金属膜３４Ａの材料は、例えば、金属膜３４の材料と同様とすることができる。金属膜３４Ａ及び３５は、はんだバンプ等を介して半導体素子の電極とフリップチップ接続されるパッドとして用いることができる。
【０１０３】
引き続き、単位基板３０Ｃに半導体素子を搭載して半導体装置を作製する工程について説明する。図１６は、第１の実施の形態の変形例３に係る半導体装置の製造工程を例示する図である。まず、図１６（ａ）に示す工程では、各単位基板３０Ｃ上に半導体素子４０をフェイスダウン状態で搭載する。具体的には、半導体素子４０の回路形成面側に形成された電極端子４１を、はんだバンプ８０を介して、金属膜３４Ａ及び３５と電気的に接続する。
【０１０４】
次に、図１６（ｂ）に示す工程では、図７（ｃ）に示す工程と同様にして、各単位基板３０Ｃ、半導体素子４０、及びはんだバンプ８０を封止する封止樹脂７０を形成する。なお、半導体素子４０の裏面が露出するように封止樹脂７０を形成してもよい。又、半導体素子４０と単位基板３０Ｃとの間にアンダーフィル樹脂を充填し、その後、封止樹脂７０を形成しても良い。
【０１０５】
次に、図１６（ｃ）に示す工程では、図７（ｄ）に示す工程と同様にして、リード３２の下面３２ｂに外部接続用の金属膜３６を形成後、切断位置Ｃで切断して個片化することにより、複数の半導体装置２Ｃが完成する。なお、はんだバンプ８０を介して金属膜３４Ａと接続される電極端子４１は、例えば、ダイパッド３１をＧＮＤに接続することにより、ＧＮＤ電位に固定することができる。
【０１０６】
なお、半導体装置２Ｃを１つの製品として出荷してもよいし、図１５に示した単位基板３０Ｃを備えた個片化前の半導体素子用基板１を１つの製品として出荷してもよい。後者の場合には、半導体素子用基板１を製品として入手した者が図１６に示す各工程を実行し、複数の半導体装置２Ｃを作製することができる。
【０１０７】
このように、単位基板３０Ｃに半導体素子をフリップチップ実装した半導体装置を実現することができる。
【０１０８】
なお、第１の実施の形態の変形例１と同様に、単位基板３０Ｃにおいて、ダイパッド３１の下面３１ｂ及びリード３２の下面３２ｂに金属箔４００、第２樹脂３３２、及び第１樹脂３３１の積層体を貼り付けてもよい。この場合には、半導体装置２Ｃの製造工程において、金属箔４００を剥離後、ダイパッド３１の下面３１ｂ及びリード３２の下面３２ｂよりも下側に形成された樹脂部３３を除去することになる。
【０１０９】
〈第１の実施の形態の変形例４〉
第１の実施の形態の変形例４では、ダイパッドやサポートバーを有していない半導体素子用基板の例を示す。なお、第１の実施の形態の変形例４において、既に説明した実施の形態と同一構成部についての説明は省略する場合がある。
【０１１０】
図１７は、第１の実施の形態の変形例４に係る半導体素子用基板を構成する単位基板を例示する図であり、図１７（ａ）は平面図、図１７（ｂ）は図１７（ａ）のＡ−Ａ線に沿う断面図、図１７（ｃ）は図１７（ａ）のＢ−Ｂ線に沿う断面図である。
【０１１１】
図１７を参照するに、単位基板３０Ｄは、ダイパッド３１、金属膜３４Ａ、及びサポートバー３９を有していない点が、単位基板３０Ｃ（図１５等参照）と相違する。単位基板３０Ｄは、ダイパッド３１を有していないため、切り欠き部３１１もなく、単位基板３０Ｃにおいてダイパッド３１の下面３１ｂ側が配置されていた領域は樹脂部３３で埋められている。
【０１１２】
図１８は、第１の実施の形態の変形例４に係る半導体素子用基板の製造工程を例示する図であり、図１７（ｂ）に対応する断面を示している。単位基板３０Ｄが行列状に配置された半導体素子用基板１を作製するには、まず、図１６（ａ）に示す工程と同様にして、各単位基板３０Ｄ上に半導体素子４０をフェイスダウン状態で搭載する。具体的には、半導体素子４０の回路形成面側に形成された電極端子４１を、はんだバンプ８０を介して、金属膜３５と電気的に接続する。
【０１１３】
次に、図１６（ｂ）に示す工程と同様にして、各単位基板３０Ｄ、半導体素子４０、及びはんだバンプ８０を封止する封止樹脂７０を形成する。なお、半導体素子４０の裏面が露出するように封止樹脂７０を形成してもよい。又、半導体素子４０と単位基板３０Ｄとの間にアンダーフィル樹脂を充填し、その後、封止樹脂７０を形成しても良い。
【０１１４】
次に、図１８に示す工程では、図１６（ｃ）に示す工程と同様にして、リード３２の下面３２ｂに外部接続用の金属膜３６を形成後、切断位置Ｃで切断して個片化することにより、複数の半導体装置２Ｄが完成する。
【０１１５】
なお、半導体装置２Ｄを１つの製品として出荷してもよいし、図１７に示した単位基板３０Ｄを備えた個片化前の半導体素子用基板１を１つの製品として出荷してもよい。後者の場合には、半導体素子用基板１を製品として入手した者が図１８に示す工程等を実行し、複数の半導体装置２Ｄを作製することができる。
【０１１６】
このように、単位基板３０Ｄに半導体素子をフリップチップ実装した半導体装置を実現することができる。
【０１１７】
〈第１の実施の形態の変形例５〉
第１の実施の形態の変形例５では、枠部及びサポートバーを有していない半導体素子用基板の例を示す。なお、第１の実施の形態の変形例５において、既に説明した実施の形態と同一構成部についての説明は省略する場合がある。
【０１１８】
図１９は、第１の実施の形態の変形例５に係る半導体素子用基板を構成する単位基板を例示する図であり、図１９（ａ）は平面図、図１９（ｂ）は図１９（ａ）のＡ−Ａ線に沿う断面図、図１９（ｃ）は図１９（ａ）のＢ−Ｂ線に沿う断面図である。
【０１１９】
図１９を参照するに、単位基板３０Ｅは、枠部３８及びサポートバー３９を有していない点が、単位基板３０（図２等参照）と相違する。
【０１２０】
図２０は、第１の実施の形態の変形例５に係る半導体素子用基板の製造工程を例示する図であり、図１９（ｂ）に対応する断面を示している。単位基板３０Ｅが行列状に配置された半導体素子用基板１を作製するには、まず、第１の実施の形態の図４（ａ）〜図４（ｄ）と同様の工程を実行する。そして、図５（ａ）〜図５（ｄ）の工程は実行せずに、図６（ａ）〜図６（ｃ）と同様の工程を実行して、図２０（ａ）に示す構造体を作製する。なお、金属膜３４及び３５は、例えば、板材１０Ａを給電経路とする電解めっき法により形成することができる。
【０１２１】
次に、図２０（ｂ）に示す工程では、板材１０Ａの上面の全面に感光性のレジスト３６０を形成し、金属箔４００の下面の全面に感光性のレジスト３７０を形成する。レジスト３６０及び３７０としては、例えば、ドライフィルムレジスト等を用いることができる。そして、レジスト３６０を露光及び現像し、エッチングする領域を露出するようにパターニングする。レジスト３６０は、平面視において、図１９（ａ）のダイパッド３１及びリード３２が形成されている領域を被覆するようにパターニングされる。なお、レジスト３７０は、金属箔４００の下面の全面を被覆したままである。
【０１２２】
次に、図２０（ｃ）に示す工程では、レジスト３６０及び３７０をエッチングマスクとして板材１０Ａをエッチングする。これにより、板材１０Ａの凹部１０ｙの底部をなす領域の一部が除去され、図１９（ａ）に示した平面形状のダイパッド３１及びリード３２が形成される。このとき、ダイパッド３１の外周部の下面３１ｂ側に凹部１０ｙが分離された切り欠き部３１１が設けられると共に、リード３２のダイパッド３１側の領域の下面３２ｂ側に凹部１０ｙが分離された切り欠き部３２１が設けられる。
【０１２３】
板材１０Ａが銅である場合には、例えば、塩化第二銅水溶液を用いたウェットエッチングにより、切り欠き部３１１を含むダイパッド３１、及び切り欠き部３２１を含むリード３２を形成することができる。なお、図２に示す枠部３８及びサポートバー３９に相当する部分もエッチングにより除去され、ダイパッド３１及びリード３２は樹脂部３３のみにより保持される。
【０１２４】
次に、図２０（ｄ）に示す工程では、図２０（ｃ）に示すレジスト３６０及び３７０を除去する。図２０（ｄ）に示す工程の後、図５（ｄ）に示す工程と同様にして、金属箔４００を除去する。そして、ダイパッド３１の下面３１ｂ及びリード３２の下面３２ｂよりも下側に形成された樹脂部３３を除去し、ダイパッド３１の下面３１ｂ及びリード３２の下面３２ｂを露出することで、単位基板３０Ｅが行列状に配置された半導体素子用基板１（図１参照）が完成する。
【０１２５】
引き続き、単位基板３０Ｅに半導体素子を搭載して半導体装置を作製する工程について説明する。まず、単位基板３０に代えて単位基板３０Ｅを用いる以外は第１の実施の形態の図７（ａ）〜図７（ｃ）と同様の工程を実行し、図２１（ａ）に示す構造体を作製する。
【０１２６】
次に、図２１（ｂ）に示す工程では、図７（ｄ）に示す工程と同様にして、リード３２の下面３２ｂに外部接続用の金属膜３６を形成後、切断位置Ｃで切断して個片化することにより、複数の半導体装置２Ｅが完成する。金属膜３６は、例えば、無電解めっき法により形成することができる。半導体装置２Ｅでは、リード３２の側面の下方側が樹脂部３３で被覆され、上方側が封止樹脂７０で被覆されるため、リード３２の側面は外部に露出しない。
【０１２７】
なお、半導体装置２Ｅを１つの製品として出荷してもよいし、図１９に示した単位基板３０Ｅを備えた個片化前の半導体素子用基板１を１つの製品として出荷してもよい。後者の場合には、半導体素子用基板１を製品として入手した者が図１８に示す各工程を実行し、複数の半導体装置２Ｅを作製することができる。
【０１２８】
このように、単位基板は枠部やサポートバーを有していなくてもよく、その場合にもダイパッド３１及びリード３２は樹脂部３３により保持されるため、半導体素子用基板１を形成することができる。
【０１２９】
〈第１の実施の形態の変形例６〉
第１の実施の形態の変形例６では、枠部及びサポートバーを有していない半導体素子用基板の他の例を示す。なお、第１の実施の形態の変形例６において、既に説明した実施の形態と同一構成部についての説明は省略する場合がある。
【０１３０】
図２２は、第１の実施の形態の変形例６に係る半導体素子用基板を構成する単位基板を例示する図であり、図２２（ａ）は平面図、図２２（ｂ）は図２２（ａ）のＡ−Ａ線に沿う断面図、図２２（ｃ）は図２２（ａ）のＢ−Ｂ線に沿う断面図である。
【０１３１】
図２２を参照するに、単位基板３０Ｆは、枠部３８及びサポートバー３９を有していない点が、単位基板３０Ａ（図８等参照）と相違する。
【０１３２】
単位基板３０Ｆは、第１の実施の形態の変形例５において図２０を参照して説明した工程により形成できる。但し、図２０（ｄ）が最終工程となり、図２０（ｄ）に示す工程の後、金属箔４００及び樹脂部３３の除去は行わない。
【０１３３】
引き続き、単位基板３０Ｆに半導体素子を搭載して半導体装置を作製する工程について説明する。まず、単位基板３０に代えて単位基板３０Ｆを用いる以外は第１の実施の形態の図７（ａ）〜図７（ｃ）と同様の工程を実行し、図２３（ａ）に示す構造体を作製する。
【０１３４】
次に、図２３（ｂ）に示す工程では、図５（ｄ）に示す工程と同様にして、金属箔４００を除去する。そして、ダイパッド３１の下面３１ｂ及びリード３２の下面３２ｂよりも下側に形成された樹脂部３３を除去し、ダイパッド３１の下面３１ｂ及びリード３２の下面３２ｂを露出する。不要部を除去された樹脂部３３の下面は、例えば、ダイパッド３１の下面３１ｂ及びリード３２の下面３２ｂと面一とすることができる。
【０１３５】
次に、図２３（ｃ）に示す工程では、図７（ｄ）に示す工程と同様にして、リード３２の下面３２ｂに外部接続用の金属膜３６を形成後、切断位置Ｃで切断して個片化することにより、複数の半導体装置２Ｆが完成する。半導体装置２Ｆは、半導体装置２Ｅと同一構造である。金属膜３６は、例えば、無電解めっき法により形成することができる。半導体装置２Ｆでは、リード３２の側面の下方側が樹脂部３３で被覆され、上方側が封止樹脂７０で被覆されるため、リード３２の側面は外部に露出しない。
【０１３６】
なお、半導体装置２Ｆを１つの製品として出荷してもよいし、図２２に示した単位基板３０Ｆを備えた個片化前の半導体素子用基板１を１つの製品として出荷してもよい。後者の場合には、半導体素子用基板１を製品として入手した者が図２３に示す各工程を実行し、複数の半導体装置２Ｆを作製することができる。
【０１３７】
このように、単位基板は枠部やサポートバーを有していなくてもよく、その場合にもダイパッド３１及びリード３２は樹脂部３３により保持されるため、半導体素子用基板１を形成することができる。又、半導体装置を作製する工程の終盤まで金属箔４００を備えることにより、それまでの製造工程内の製品剛性を上げることが可能となるため、各々の製造工程を安定して行うことができる。
【０１３８】
なお、第１の実施の形態の変形例３に示した単位基板３０Ｃにおいても、第１の実施の形態の変形例５及び６と同様に、枠部及びサポートバーを有していない構造とすることができる。そして、枠部及びサポートバーを有していない単位基板に、半導体素子をフリップチップ実装することができる。
【０１３９】
又、第１の実施の形態の変形例４に示した単位基板３０Ｄにおいても、第１の実施の形態の変形例５及び６と同様に、枠部を有していない構造とすることができる。
【０１４０】
又、第１の実施の形態、第１の実施の形態の変形例３〜６において、第１の実施の形態の変形例２と同様に他の樹脂部を設けても構わない。
【０１４１】
以上、好ましい実施の形態等について詳説したが、上述した実施の形態等に制限されることはなく、特許請求の範囲に記載された範囲を逸脱することなく、上述した実施の形態等に種々の変形及び置換を加えることができる。
【符号の説明】
【０１４２】
１  半導体素子用基板
２、２Ａ、２Ｂ、２Ｃ、２Ｄ、２Ｅ、２Ｆ  半導体装置
１０  基板フレーム
１０Ａ  板材
１０ｘ  スリット
１０ｙ  凹部
２０  単位基板群
３０、３０Ａ、３０Ｂ、３０Ｃ、３０Ｄ、３０Ｅ、３０Ｆ  単位基板
３１  ダイパッド
３２  リード
３３、３７  樹脂部
３４、３４Ａ、３５、３６  金属膜
３８  枠部
３９  サポートバー
４０  半導体素子
４１  電極端子
５０  接着材
６０  金属線
７０  封止樹脂
８０  はんだバンプ
３１１、３２１  切り欠き部
３３１  第１樹脂
３３２  第２樹脂
３７１  第３樹脂
３７２  第４樹脂
４００、４５０  金属箔
【図１】
2019057590.tif 000003
【図２】
2019057590.tif 000004
【図３】
2019057590.tif 000005
【図４】
2019057590.tif 000006
【図５】
2019057590.tif 000007
【図６】
2019057590.tif 000008
【図７】
2019057590.tif 000009
【図８】
2019057590.tif 000010
【図９】
2019057590.tif 000011
【図１０】
2019057590.tif 000012
【図１１】
2019057590.tif 000013
【図１２】
2019057590.tif 000014
【図１３】
2019057590.tif 000015
【図１４】
2019057590.tif 000016
【図１５】
2019057590.tif 000017
【図１６】
2019057590.tif 000018
【図１７】
2019057590.tif 000019
【図１８】
2019057590.tif 000020
【図１９】
2019057590.tif 000021
【図２０】
2019057590.tif 000022
【図２１】
2019057590.tif 000023
【図２２】
2019057590.tif 000024
【図２３】
2019057590.tif 000025